(57)【要約】【課題】搭載するメモリの容量を小さくする。【解決手段】テレビ装置１６が接続されない場合には複数のレイヤーを内蔵モニタ２６の解像度と同一低解像度で表示用画面格納領域５２に描画すると共に描画した複数のレイヤーを内蔵モニタ用画面合成部６２で重ねて１枚の表示用画面として内蔵モニタ２６に表示し、テレビ装置１６が接続された場合には複数のレイヤーのうち単色塗りつぶしのレイヤーは内蔵モニタ２６の解像度と同一の低解像度で表示用画面格納領域５２に描画すると共に単色塗りつぶし以外の画像や文字列，アイコンを含むレイヤーについてはテレビ装置１６用の解像度と同一の高解像度で表示用画面格納領域５２に描画し、描画した複数のレイヤーのうち低解像度用格納領域に格納したレイヤーを解像度変換部６４でテレビ装置１６用の解像度に変換し、複数のレイヤーをＴＶ用画面合成部６６で重ねて１枚の表示用画面としてビデオ出力端子２８に出力する。【選択図】図１
2009080345.tif 000002
【特許請求の範囲】
【請求項１】
第１の解像度の画面を表示する表示部を内蔵すると共に前記第１の解像度よりも高い第２の解像度の画面を表示する外部表示装置に接続可能な画像表示装置であって、
データを記憶する記憶手段と、
前記外部表示装置への画面の表示が要求されていないときには、前記第１の解像度の複数の画面を前記記憶手段へのデータの格納を伴って描画すると共に該描画した複数の画面を重ねて１枚の画面として前記表示部に表示する表示部用表示処理手段と、
前記外部表示装置が接続されて該外部表示装置への画面の表示が要求されているときには、前記表示部用表示処理手段に代えて画面毎に異なる解像度の複数の画面を前記記憶手段へのデータの格納を伴って描画すると共に該描画した複数の画面の解像度を各々前記第２の解像度に変換し、該第２の解像度に変換した複数の画面を重ねて１枚の画面として前記外部表示装置に出力する外部表示装置用表示処理手段と
を備える画像表示装置。
【請求項２】
前記外部表示装置用表示処理手段は、前記第２の解像度よりも低い低解像度と該低解像度よりも高い高解像度とを使い分けて前記複数の画面毎に異なる解像度の画面を描画する手段である請求項１記載の画像表示装置。
【請求項３】
前記外部表示装置用表示処理手段は、前記複数の画面のうち単色で塗りつぶされてなる画面を前記低解像度で描画する手段である請求項２記載の画像表示装置。
【請求項４】
前記外部表示装置用表示処理手段は、前記複数の画面のうち画像，アイコン，文字列の少なくとも一つを含んでなる画面を前記高解像度で描画する手段である請求項２または３記載の画像表示装置。
【請求項５】
前記高解像度は、前記第２の解像度と同一の解像度である請求項２ないし４いずれか１項に記載の画像表示装置。
【請求項６】
前記低解像度は、前記第２の解像度の１／４倍の解像度である請求項２ないし５いずれか１項に記載の画像表示装置。
【請求項７】
印刷装置に搭載されてなる請求項１ないし６いずれか１項に記載の画像表示装置。
【請求項８】
第１の解像度の画面を表示する表示部を内蔵すると共に前記第１の解像度よりも高い第２の解像度の画面を表示する外部表示装置に接続可能な画像表示装置の制御方法であって、
前記画像表示装置は、データを記憶する記憶手段を備え、
（ａ）前記外部表示装置への画面の表示が要求されていないときには、前記第１の解像度の複数の画面を前記記憶手段へのデータの格納を伴って描画すると共に該描画した複数の画面を重ねて１枚の画面として前記表示部に表示し、
（ｂ）前記外部表示装置が接続されて該外部表示装置への画面の表示が要求されているときには、前記ステップ（ａ）に代えて複数の画面毎に異なる解像度の画面を前記画面記憶手段へのデータの格納を伴って描画すると共に該描画した複数の画面の解像度を前記第２の解像度に変換し、該変換した複数の画面を重ねて１枚の画面として前記外部表示装置に出力する
画像表示装置の制御方法。
【請求項９】
請求項８記載の画像表示装置の制御方法の各ステップを１又は複数のコンピュータに実現させるためのプログラム。
【発明の詳細な説明】
【技術分野】
【０００１】
本発明は、第１の解像度の画面を表示する表示部を内蔵すると共に前記第１の解像度よりも高い第２の解像度の画面を表示する外部表示装置に接続可能な画像表示装置およびその制御方法並びに画像表示装置の制御方法の各ステップを１又は複数のコンピュータに実現させるためのプログラムに関する。
【背景技術】
【０００２】
従来、画像表示装置としては、デジタルカメラに搭載され、液晶表示装置を内蔵すると共にビデオケーブルを用いて外部のモニタ装置に映像信号を送り出す映像出力端子を備えるものが提案されている（例えば、特許文献１参照）。この装置では、ビデオケーブル挿抜検知器によってビデオケーブルの挿入が検知されたときには、液晶表示装置に送る映像信号よりも密度の高い映像信号を生成してモニタ装置に送ることにより、モニタ装置に質の高い映像を表示することができるとしている。
【特許文献１】特開平１０−２６２２０３号公報
【発明の開示】
【発明が解決しようとする課題】
【０００３】
しかしながら、こうした画像表示装置では、画素の密度が高い映像信号をモニタ装置に送るため、比較的多くのメモリの容量を必要とする。特に、複数の画面を重ねて１枚の表示用画面として表示する場合には、画面の数だけ搭載するメモリの容量を大きくしなければならない。したがって、こうした画像表示装置を比較的少ないメモリの容量で動作が可能な印刷装置などに搭載する場合には、できる限りメモリ容量が大きくならないようにすることが望ましい。
【０００４】
本発明の画像表示装置およびその制御方法並びにプログラムは、複数の画面を重ねて１枚の画面として表示する場合に、少ないメモリの容量で内蔵する表示部よりも高い解像度の画面を外部表示装置に表示できるようにすることを主目的とする。
【課題を解決するための手段】
【０００５】
本発明の画像表示装置およびその制御方法並びにプログラムは、上述の主目的を達成するために以下の手段を採った。
【０００６】
本発明の画像表示装置は、
第１の解像度の画面を表示する表示部を内蔵すると共に前記第１の解像度よりも高い第２の解像度の画面を表示する外部表示装置に接続可能な画像表示装置であって、
データを記憶する記憶手段と、
前記外部表示装置への画面の表示が要求されていないときには、前記第１の解像度の複数の画面を前記記憶手段へのデータの格納を伴って描画すると共に該描画した複数の画面を重ねて１枚の画面として前記表示部に表示する表示部用表示処理手段と、
前記外部表示装置が接続されて該外部表示装置への画面の表示が要求されているときには、前記表示部用表示処理手段に代えて画面毎に異なる解像度の複数の画面を前記記憶手段へのデータの格納を伴って描画すると共に該描画した複数の画面の解像度を各々前記第２の解像度に変換し、該第２の解像度に変換した複数の画面を重ねて１枚の画面として前記外部表示装置に出力する外部表示装置用表示処理手段と
を備えることを要旨とする。
【０００７】
この本発明の画像表示装置では、外部表示装置への画面の表示が要求されていないときには、第１の解像度の複数の画面を記憶手段へのデータの格納を伴って描画すると共に描画した複数の画面を重ねて１枚の画面として表示部に表示し、外部表示装置に接続されて外部表示装置への画面の表示が要求されているときには、表示部への表示に代えて画面毎に異なる解像度の複数の画面を記憶手段へのデータの格納を伴って描画すると共に描画した複数の画面の解像度を各々第２の解像度に変換しこの第２の解像度に変換した複数の画面を重ねて１枚の画面として外部表示装置に出力する。したがって、複数の画面を重ねて１枚の画面として外部表示装置に出力する場合に、複数の画面のすべてを第２の解像度で描画するものに比して情報量を少なくすることができる。この結果、搭載するメモリの容量を小さくすることができる。こうした本発明の画像表示装置は、印刷装置に搭載されてなるものとすることもできる。
【０００８】
こうした本発明の画像表示装置において、前記外部表示装置用表示処理手段は、前記第２の解像度よりも低い低解像度と該低解像度よりも高い高解像度とを使い分けて前記複数の画面毎に異なる解像度の画面を描画する手段であるものとすることもできる。ここで、前記高解像度は、前記第２の解像度と同一の解像度であるものとすることもできるし、前記低解像度は、前記第２の解像度の１／４倍の解像度であるものとすることもできる。この態様の本発明の画像表示装置において、前記外部表示装置用表示処理手段は、前記複数の画面のうち単色で塗りつぶされてなる画面を前記低解像度で描画する手段であるものとすることもできる。こうすれば、画質をできる限り落とさないようにしながら、搭載するメモリの容量を小さくすることができる。これらの態様の本発明の画像表示装置において、前記外部表示装置用表示処理手段は、前記複数の画面のうち画像，アイコン，文字列の少なくとも一つを含んでなる画面を前記高解像度で描画する手段であるものとすることもできる。こうすれば、必要な情報については鮮明に表示することができる。
【０００９】
本発明の画像表示装置の制御方法は、
第１の解像度の画面を表示する表示部を内蔵すると共に前記第１の解像度よりも高い第２の解像度の画面を表示する外部表示装置に接続可能な画像表示装置の制御方法であって、
前記画像表示装置は、データを記憶する記憶手段を備え、
（ａ）前記外部表示装置への画面の表示が要求されていないときには、前記第１の解像度の複数の画面を前記記憶手段へのデータの格納を伴って描画すると共に該描画した複数の画面を重ねて１枚の画面として前記表示部に表示し、
（ｂ）前記外部表示装置が接続されて該外部表示装置への画面の表示が要求されているときには、前記ステップ（ａ）に代えて複数の画面毎に異なる解像度の画面を前記画面記憶手段へのデータの格納を伴って描画すると共に該描画した複数の画面の解像度を前記第２の解像度に変換し、該変換した複数の画面を重ねて１枚の画面として前記外部表示装置に出力する
ことを特徴とする。
【００１０】
この本発明の画像表示装置の制御方法によれば、外部表示装置への画面の表示が要求されていないときには、第１の解像度の複数の画面を記憶手段へのデータの格納を伴って描画すると共に描画した複数の画面を重ねて１枚の画面として表示部に表示し、外部表示装置に接続されて外部表示装置への画面の表示が要求されているときには、表示部への表示に代えて画面毎に異なる解像度の複数の画面を記憶手段へのデータの格納を伴って描画すると共に描画した複数の画面の解像度を各々第２の解像度に変換しこの第２の解像度に変換した複数の画面を重ねて１枚の画面として外部表示装置に出力する。したがって、複数の画面を重ねて１枚の画面として外部表示装置に出力する場合に、複数の画面のすべてを第２の解像度で描画するものに比して情報量を少なくすることができる。この結果、搭載するメモリの容量を小さくすることができる。
【００１１】
本発明のプログラムは、上述した画像表示装置の制御方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した画像表示装置の制御方法の各ステップが実行されるため、該制御方法と同様の作用効果が得られる。
【発明を実施するための最良の形態】
【００１２】
次に、本発明を実施するための最良の形態を図面を用いて説明する。
【００１３】
図１は、本発明の一実施形態であるプリンタ２０の構成の概略を示す構成図である。本実施形態のプリンタ２０は、図示するように、コンピュータ１２やメモリカードなどのストレージ１４などと接続してデジタル画像（以下、画像という）の入出力を行なう入出力インタフェース部２２と、用紙Ｐに印刷を行なうためのプリンタユニット３０と、原稿台４１に載置された原稿を読み取るためのスキャナユニット４０と、各種操作を行なうためのボタン類が配置された操作部２４と、操作部２４の操作に伴って印刷すべき画像の選択や各種設定を行なうための画面を表示する内蔵モニタ２６と、ビデオ入力端子を備える外部モニタとしてのテレビ装置１６とビデオケーブル１７により接続するためのビデオ出力端子２８と、プリンタユニット３０やスキャナユニット４０の制御を司ると共にテレビ装置１６の接続の有無によって内蔵モニタ２６への画面表示とテレビ装置１６への画面表示とが切り替えられるよう表示用画面を複数のレイヤーとして描画する制御部５０と、制御部５０による表示用画面の描画に伴って複数のレイヤーを格納する表示用画面格納領域５２と、表示用画面格納領域５２に格納された複数のレイヤーを重ねて１枚の表示用画面として内蔵モニタ２６やビデオ出力端子２８に出力する表示用画面処理部６０とを備える。
【００１４】
操作部２４は、電源をオンオフするための電源ボタンの他、画像の選択やメニューの選択，各種設定項目の選択などを行なうための上下左右の矢印キー２４ａ、選択を確定させるためのＯＫボタン２４ｂ，各種モードを選択するモード選択ボタンなどが配置されている。なお、モード選択ボタンにより選択可能なモードとしては、原稿台４１にセットした原稿をスキャンしてコピーするコピーモードやメモリカードに記憶された画像を用いて印刷したり原稿をスキャンしてデータ化してメモリカードに保存するメモリカードモード，写真フィルムをスキャンして印刷したりデータをメモリカードに保存したりするフィルムモードなどがある。
【００１５】
内蔵モニタ２６は、例えば、ＱＶＧＡ（３２０×２４０ピクセル）の表示解像度を有する液晶ディスプレイとして構成されており、操作部２４の矢印キー２４ａやＯＫボタン２４ｂなどの操作に伴って印刷すべき画像の選択や各種設定を行なうための画面を表示する。
【００１６】
プリンタユニット３０は、プリンタＡＳＩＣ３２とプリンタエンジン３４とを備える。プリンタＡＳＩＣ３２は、プリンタエンジン３４を制御する集積回路であり、制御部５０からイメージバッファ５４への画像の格納を伴って印刷指令を受けると、イメージバッファ５４に格納されている画像に基づいて用紙に印刷するようプリンタエンジン３４を制御する。また、プリンタエンジン３４は、印刷ヘッドから用紙へインクを吐出することにより印刷を行なう周知のインクジェット方式のカラープリンタ機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１７】
スキャナユニット４０は、スキャナＡＳＩＣ４２とスキャナエンジン４４とを備える。スキャナＡＳＩＣ４２は、スキャナエンジン４４を制御する集積回路であり、制御部５０からのスキャン指令を受けると、原稿台４１に載置された原稿を画像データとして読み取るようスキャナエンジン４４を制御する。なお、スキャナエンジン４４は、周知のイメージスキャナとして構成されており、原稿に向かって発光した後の反射光をレッド（Ｒ）、グリーン（Ｇ）、ブルー（Ｂ）の各色に分解してスキャンデータとする周知のカラーイメージセンサを備える。
【００１８】
制御部５０は、上述したプリンタユニット３０やスキャナユニット４０を制御すると共に操作部２４からの操作を受け付けてこの操作に対応する表示用画面を複数のレイヤーとして表示用画面格納領域５２に描画する。図２に、表示用画面７０の一例を示す。表示用画面７０は、図示するように、奥から順に、第１レイヤー７１と第２レイヤー７２と第３レイヤー７３と第４レイヤー７４と第５レイヤー７５の５層のレイヤーからなっており、これらを重ねて１枚の表示用画面とされる。図２の例では、表示用画面７０としては、矢印キー２４ａを用いてユーザが６枚のサムネイル画像Ａ〜Ｆの中から印刷すべき画像を選択すると共にその選択をＯＫボタン２４ｂを用いて確定するための画像選択画面として構成されており、第１レイヤー７１では表示用画面７０の背景画面の全面を単色塗りつぶしにより描画し、第２レイヤー７２では文字列（フォント）やアイコン用の帯状の背景画面を単色塗りつぶしにより描画し、第３レイヤー７３では「画像を選択して下さい。」の文字列や「ＯＫボタン」の文字列とそのアイコン，「選択」の文字列と矢印キー２４ａのアイコンを描画し、第４レイヤー７４では６枚のサムネイル画像Ａ〜Ｆを描画し、第５レイヤー７５では６枚のサムネイル画像Ａ〜Ｆの中からユーザが選択した画像をフォーカスする矩形状のフォーカス枠を単色塗りつぶしにより描画したものとして構成されている。各第１〜第５レイヤー７１〜７５は、テレビ装置１６がビデオ出力端子２８に接続されておらず表示用画面７０を内蔵モニタ２６に表示する場合とテレビ装置１６がビデオ出力端子２８に接続されて表示用画面７０をテレビ装置１６に表示する場合とで異なる解像度となるよう表示用画面格納領域５２に描画されるが、これについては後述する。なお、プリンタユニット３０やスキャナユニット４０については、本発明の中核をなさないから、これ以上の詳細な説明は省略する。
【００１９】
表示用画面処理部６０は、テレビ装置１６がビデオ出力端子２８に接続されていない場合にこれに応じた解像度で制御部５０によって描画された複数のレイヤーを重ねて１枚の表示用画面として内蔵モニタ２６に表示出力する内蔵モニタ用画面合成部６２と、テレビ装置１６がビデオ出力端子２８に接続されている場合にこれに応じた解像度で制御部５０によって描画された複数のレイヤーの各々をテレビ装置１６に適した解像度、例えば、ＶＧＡ（６４０×４８０ピクセル）に変換する解像度変換部６４と、解像度変換部６４によって解像度が変換された複数のレイヤーを重ねて１枚の表示用画面とすると共にテレビ装置１６用の映像信号に変換してビデオ出力端子２８に出力するＴＶ用画面合成部６６とを備える。本実施形態では、こうした処理を迅速に行なうために、表示用画面処理部６０を専用のハードウエア（ビデオチップ）として構成するものとした。なお、ビデオ出力端子２８にビデオケーブル１７によりテレビ装置１６が接続されているか否かの判定は、本実施形態では、図示しない専用の検知器を用いて所定時間毎に監視することにより行なうものとした。勿論、操作部２４に内蔵モニタ２６とテレビ装置１６との表示切替を指示する表示切替ボタンを設け、この表示切替ボタンの操作に基づいて判定するものとしても構わない。
【００２０】
次に、こうして構成された本実施形態のプリンタ２０の動作、特に、内蔵モニタ２６に表示用画面を表示する際の動作とテレビ装置１６に表示用画面を表示する際の動作について説明する。まず、内蔵モニタ２６に表示用画面を表示する際の動作について説明する。図３は、制御部５０により実行される内蔵モニタ用画面描画処理の一例を示すフローチャートである。この処理は、テレビ装置１６がビデオ出力端子２８に接続されていない状態を検知器が検知したときに実行される。
【００２１】
内蔵モニタ用画面描画処理は、レイヤー番号ｎを値１に初期化し（ステップＳ１００）、第ｎレイヤーを表示用画面格納領域５２の低解像度用格納領域に描画すると共に（ステップＳ１１０）、レイヤー番号ｎを値１だけインクリメントして（ステップＳ１２０）、レイヤー番号ｎが最上レイヤー番号（本実施形態では、値５）よりも大きくなるまで（ステップＳ１３０）ステップＳ１１０に戻ってステップＳ１１０，Ｓ１２０の処理を繰り返すことにより行なわれる。図４に、第１レイヤー７１〜第５レイヤー７５の５層のレイヤーを表示用画面格納領域５２に描画する様子を示す。図示するように、第１レイヤー７１〜第５レイヤー７５の描画は、表示用画面格納領域５２に内蔵モニタ２６と同一の低解像度（ＱＶＧＡ）の画面を格納可能な第１レイヤー格納領域と第２レイヤー格納領域と第３レイヤー格納領域と第４レイヤー格納領域と第５レイヤー格納領域の５つの低解像度用格納領域を設定し、各領域に対応する第１レイヤー７１〜第５レイヤー７５を格納することにより行なわれる。こうして第１レイヤー７１〜第５レイヤー７５の画面を表示用画面格納領域５２に格納すると、前述したように、内蔵モニタ用画面合成部６２により第１レイヤー７１〜第５レイヤー７５を重ねて１枚の表示用画面７０として内蔵モニタ２６に表示する。
【００２２】
次に、テレビ装置１６に表示用画面を表示する際の動作について説明する。図５は、制御部５０により実行されるＴＶ用画面描画処理の一例を示すフローチャートである。この処理は、テレビ装置１６がビデオ出力端子２８に接続された状態を検知器が検知したときに実行される。
【００２３】
ＴＶ用画面描画処理では、制御部５０は、まず、レイヤー番号ｎを値１に初期化し（ステップＳ２００）、第ｎレイヤーが単色塗りつぶしのレイヤーか否かを判定する（ステップＳ２１０）。この判定は、単色塗りつぶしの画面に用いるレイヤー（番号）を予め割り当てておけば、その番号を調べることにより行なうことができる。例えば、図２に例示する表示用画面７０の第１レイヤー７１〜第５レイヤー７５を描画する場合には、第１レイヤー７１と第２レイヤー７２と第５レイヤー７５とが単色塗りつぶしのレイヤーに相当する。第ｎレイヤーが単色塗りつぶしのレイヤーのときには（図２の例では、第１レイヤー７１と第２レイヤー７２と第５レイヤー７５のいずれかのときには）、この第ｎレイヤーを表示用画面格納領域５２の低解像度用格納領域に描画し（ステップＳ２２０）、第ｎレイヤーが単色塗りつぶしのレイヤーでないときには（図２の例では、第３レイヤー７３か第４レイヤー７４のいずれかのときには）、この第ｎレイヤーを表示用画面格納領域５２の高解像度格納領域に描画し（ステップＳ２３０）、レイヤー番号ｎを値１だけインクリメントして（ステップＳ２４０）、レイヤー番号ｎが最上レイヤー番号（本実施形態では、値５）よりも大きくなるまで（ステップＳ２５０）ステップＳ２１０に戻ってステップＳ２１０〜Ｓ２４０の処理を繰り返して本処理を終了する。図６に、第１レイヤー７１〜第５レイヤー７５を表示用画面格納領域５２に格納する様子を示す。ここで、本実施形態では、低解像度用格納領域は、内蔵モニタ２６の表示解像度と同一の解像度（ＱＶＧＡ）を格納するための領域として設定され、高解像度用格納領域は、テレビ装置１６用の表示解像度と同一の解像度（ＶＧＡ）を格納するための領域として設定されている。このように、単色塗りつぶしのレイヤーを表示用画面格納領域５２の低解像度用格納領域に格納すると共に単色塗りつぶし以外のサムネイル画像や文字列，アイコンなどを含むレイヤーを表示用画面格納領域５２の高解像度格納領域に格納するのは、単色塗りつぶしのレイヤーは、後に解像度変換部６４で高解像度に変換（拡大）するものとしても、その画質にあまり影響を与えない一方、サムネイル画像や文字列，アイコンなどを含むレイヤーは後に解像度変換部６４で高解像度に変換（拡大）すると、その画質に大きく影響を与えることに基づいている。したがって、単色塗りつぶしのレイヤーだけを表示用画面格納領域５２の低解像度用格納領域に格納することにより、全体の画質を落とすことなく、表示用画面格納領域５２のメモリ容量を小さくすることができる。
【００２４】
こうして第１レイヤー７１〜第５レイヤー７５の画面を表示用画面格納領域５２に格納すると、第１レイヤー７１〜第５レイヤー７５のうち低解像度用格納領域に格納したレイヤーについては解像度変換部６４でテレビ装置１６用の解像度（本実施形態では、ＶＧＡ）に変換する。図７に、表示用画面格納領域５２に格納した第１レイヤー７１〜第５レイヤー７５の解像度を変換する様子を示す。図７の例では、第１レイヤー７１と第２レイヤー７２と第５レイヤー７５とを表示用画面格納領域５２の低解像度用格納領域に描画したから、これらの３つのレイヤーの解像度をテレビ装置１６用の解像度に変換する。本実施形態では、表示用画面格納領域５２の低解像度用格納領域に格納したレイヤーはＱＶＧＡの解像度で描画され、テレビ装置１６用の表示解像度をＶＧＡとしているから、４倍の拡大率をもって画素を補間して解像度を変換するものとなる。そして、ＴＶ用画面合成部６６により第１レイヤー７１〜第５レイヤー７５を重ねて１枚の表示用画面７０とすると共にテレビ装置１６用の映像信号に変換してビデオ出力端子２８に出力する。これにより、テレビ装置１６は、ビデオケーブル１７を介して映像信号を受信し、表示用画面７０を表示する。このとき、内蔵モニタ２６には、何も表示しないものとしてもよいし、「テレビ出力中」などの固定画面を表示するものとしてもよい
【００２５】
ここで、本実施形態の構成要素と本発明の構成要素との対応関係を明らかにする。本実施形態の表示用画面格納領域５２が「記憶手段」に相当し、図３の内蔵モニタ用画面描画処理を実行する制御部５０や表示用画面処理部６０の内蔵モニタ用画面合成部６２が「表示部用表示処理手段」に相当し、図５のＴＶ用画面描画処理を実行する制御部５０や表示用画面処理部６０の解像度変換部６４とＴＶ用画面合成部６６とが「外部表示装置用表示処理手段」に相当する。
【００２６】
以上説明した本実施形態のプリンタ２０によれば、テレビ装置１６のビデオ出力端子２８への接続を検知し、テレビ装置１６がビデオ出力端子２８に接続されていない場合には第１レイヤー７１〜第５レイヤー７５のすべてを内蔵モニタ２６の表示解像度と同一の低解像度用格納領域に描画すると共に描画した第１レイヤー７１〜第５レイヤー７５を重ねて１枚の表示用画面７０として内蔵モニタ２６に表示し、テレビ装置１６がビデオ出力端子２８に接続されている場合には第１レイヤー７１〜第５レイヤー７５のうち単色塗りつぶしのレイヤーについては表示用画面格納領域５２の内蔵モニタ２６の表示解像度と同一の低解像度用格納領域に描画すると共に単色塗りつぶし以外の画像や文字列（フォント），アイコンを含むレイヤーについては表示用画面格納領域５２のテレビ装置１６用の表示解像度と同一の高解像度用格納領域に描画し、描画した第１レイヤー７１〜第５レイヤー７５のうち低解像度用格納領域に格納したレイヤーについては解像度変換部６４でテレビ装置１６用の解像度に変換し、ＴＶ用画面合成部６６で第１レイヤー７１〜第５レイヤー７５を重ねて１枚の表示用画面７０とすると共にテレビ装置１６用の映像信号に変換してビデオ出力端子２８に出力するから、画質をできる限り落とすことなく、表示用画面格納領域５２で搭載するメモリの容量を小さくすることができる。しかも、内蔵モニタ２６で表示する表示用画面のレイヤーの格納とテレビ装置１６で表示する表示用画面のレイヤーの格納を表示用画面格納領域５２で共用するから、表示用画面格納領域５２で搭載するメモリの容量を更に小さくすることができる。また、単色塗りつぶしのレイヤーを表示用画面格納領域５２の低解像度用格納領域に描画するから、描画に必要な時間を短縮することができ、テレビ装置１６への画面表示の遅れを抑制することができる。
【００２７】
本実施形態では、テレビ装置１６がビデオ出力端子２８に接続された場合には、テレビ装置１６用の表示解像度と同一の高解像度か内蔵モニタ２６用の表示解像度と同一の低解像度かのいずれかの解像度で表示用画面格納領域５２に描画するものとしたが、低解像度をテレビ装置１６用の表示解像度よりも低い解像度に設定するものとすれば、必ずしも内蔵モニタ２６用の表示解像度と同一とする必要はなく、また、高解像度についても必ずしもテレビ装置１６用の表示解像度と同一とする必要はない。
【００２８】
本実施形態では、テレビ装置１６がビデオ出力端子２８に接続された場合には、第１レイヤー７１〜第５レイヤー７５のうち単色塗りつぶしのレイヤーについては表示用画面格納領域５２の高解像度格納領域に描画し、単色塗りつぶし以外のレイヤーについては表示用画面格納領域５２の低解像度格納領域に描画するものとしたが、必ずしも単色塗りつぶしのレイヤーか否かで高解像度格納領域への描画と低解像度用格納領域への描画を使い分ける必要はない。例えば、画像を含むレイヤーを高解像度格納領域への描画し画像を含まないレイヤーを低解像度用格納領域に描画するものとしてもよい。
【００２９】
本実施形態では、プリンタとスキャナとの複合装置としてのプリンタ２０に本発明の画像表示装置を適用したが、プリンタの機能があればスキャナの機能はない印刷装置に適用するものとしてもよい。
【００３０】
本実施形態では、本発明の画像表示装置を内蔵モニタ２６を備えると共にテレビ装置１６にビデオケーブル１７により接続可能なビデオ出力端子２８を備えるプリンタ２０に適用して説明したが、これに限定されるものではなく、デジタルカメラなど、プリンタ２０以外の装置に適用するものとしても構わない。
【００３１】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００３２】
【図１】プリンタ２０の構成の概略を示す構成図。
【図２】表示用画面７０の一例を示す説明図。
【図３】内蔵モニタ用画面描画処理の一例を示すフローチャート。
【図４】複数のレイヤーを表示用画面格納領域５２に描画する様子を示す説明図。
【図５】ＴＶ用画面描画処理の一例を示すフローチャート。
【図６】複数のレイヤーを表示用画面格納領域５２に格納する様子を示す説明図。
【図７】複数のレイヤーの解像度を変換する様子を示す説明図。
【符号の説明】
【００３３】
１２  コンピュータ、１４  ストレージ、１６  テレビ装置、１７  ビデオケーブル、２０  プリンタ、２２  入出力インタフェース部、２４  操作部、２４ａ  矢印キー、２４ｂ  ＯＫボタン、２６  内蔵モニタ、２８  ビデオ出力端子、３０  プリンタユニット、３２  プリンタＡＳＩＣ、３４  プリンタエンジン、４０  スキャナユニット、４１  原稿台、４２  スキャナＡＳＩＣ、４４  スキャナエンジン、５０  制御部、５２  表示用画面格納領域、５４  イメージバッファ、６０  表示用画面処理部、６２  内蔵モニタ用画面合成部、６４  解像度変換部、６６  ＴＶ用画面合成部、７０  表示用画面、７１  第１レイヤー、７２  第２レイヤー、７３  第３レイヤー、７４  第４レイヤー、７５  第５レイヤー。
【図１】
2009080345.tif 000003
【図２】
2009080345.tif 000004
【図３】
2009080345.tif 000005
【図４】
2009080345.tif 000006
【図５】
2009080345.tif 000007
【図６】
2009080345.tif 000008
【図７】
2009080345.tif 000009